(57)【要約】      （修正有）【課題】交換機に接続された多機能ＩＰ電話機の消費電力を抑える。【解決手段】ＩＰ電話機の表示制御部は、表示装置を省電力モードにしている最中に、交換機から表示指示メッセージを受け付けると（Ｓ２）、省電力モードを維持しつつ表示指示を表示指示テーブルに記憶し（Ｓ３）、操作装置による操作があるか又は交換機からの着信メッセージを受け付けると（Ｓ２）、表示装置を活性モードに移行させる（Ｓ５）。この活性モードでは、表示指示テーブルに記憶されている表示指示に基づく表示を表示装置にさせる（Ｓ５）。表示制御部は、所定時間以内に操作装置による操作があるか又は交換機からの着信メッセージを受け付けなければ（Ｓ７）、表示装置を活性モードから省電力モードに移行する（Ｓ１）。【選択図】図４
2010166277.tif 000002
【特許請求の範囲】
【請求項１】
操作手段及び表示手段を有する１以上の電話機と、交換機とを備えている電話システムにおいて、
前記交換機は、
表示指示メッセージを生成して、該表示指示メッセージを前記１以上の電話機に送る表示指示メッセージ生成手段を有し、
前記電話機は、
前記交換機からの前記表示指示メッセージに含まれる表示指示を記憶する表示指示記憶手段と、
前記表示手段の省電力モードと活性モードと間でのモード切替を行って、該表示手段を制御する表示制御手段と、
を備え、
前記表示制御手段は、前記表示手段が前記省電力モードである場合に、前記交換機からの着信メッセージの受け付け及び前記操作手段による操作の受け付けで、前記表示手段を前記活性モードに切替え、該表示手段に表示すべき表示指示が前記表示指示記憶手段に記憶されていれば、該表示手段に該表示指に基づいた表示を実行させる、
ことを特徴とする電話システム。
【請求項２】
請求項１に記載の電話システムにおいて、
前記表示制御手段は、前記表示手段が前記活性モードである場合に、前記交換機から着信メッセージ又は前記操作手段による操作を所定時間受け付けなければ、該表示手段を前記省電力モードに切替え、該表示手段を非表示状態にする、
ことを特徴とする電話システム。
【請求項３】
請求項１及び２のいずれか一項に記載の電話システムにおいて、
複数の前記表示手段を備え、
前記交換機からの前記表示指示メッセージには、前記複数の表示手段のうちのいずれの表示手段に対する表示指示であるかを示す該表示手段の識別情報を含み、
前記表示指示記憶手段は、前記複数の表示手段の識別情報毎に、前記交換機からの前記表示指示メッセージに含まれる表示指示を記憶する、
ことを特徴とする電話システム。
【請求項４】
請求項１及び２のいずれか一項に記載の電話システムにおいて、
前記表示手段に関して、表示を優先させる表示優先状態か否かを記憶する表示優先状態記憶手段を備え、
前記表示制御手段は、前記表示優先状態記憶手段に前記表示手段が表示優先状態である旨が記憶されている場合には、前記表示手段が前記省電力モードのときに、前記交換機からの着信メッセージの受信及び前記操作手段による操作の受け付けがなくても、前記表示指示メッセージの受け付けで前記活性モードに切替える、
ことを特徴とする電話システム。
【請求項５】
請求項３に記載の電話システムにおいて、
前記複数の表示手段の識別情報毎に、表示を優先させる表示優先状態か否かを記憶する表示優先状態記憶手段を備え、
前記表示制御手段は、前記表示優先記憶手段に前記複数の表示手段の識別情報のうちののいずれかの識別情報に対して表示優先状態である旨が記憶されている場合、前記複数の表示手段が前記省電力モードのときに、前記交換機からの着信メッセージの受信及び前記操作手段による操作の受け付けがなくても、前記表示優先記憶手段で前記表示優先状態になっている識別情報を特定した表示指示メッセージの受け付けで、該複数の前記表示手段を前記活性モードに切替える、
ことを特徴とする電話システム。
【発明の詳細な説明】
【技術分野】
【０００１】
本発明は、交換機と、この交換機からの表示指示メッセージに基づいて、表示手段を駆動させる電話機とを備えている電話システムに関する。
【背景技術】
【０００２】
電話機１台当たりの消費電力は、一般的に、待ち受け時に少なく、通話時、特に、スピーカー通話時に多くなるが、それでも、たかだか数Ｗ程度である。このように、1台当たりの消費電力は少ないものの、内線電話機が数百台以上になると、システム全体の消費電力は無視できないものになる。
【０００３】
そこで、電話機の消費電力を抑える技術として、以下の特許文献１に開示されている技術がある。
【０００４】
この技術は、利用者による使用頻度が少なくなる夜間等の特定時間帯では、内線電話機のＬＣＤの点灯やＬＥＤのバックライトの点灯を停止するものである。
【０００５】
【特許文献１】特開2005-109646号公報
【発明の開示】
【発明が解決しようとする課題】
【０００６】
特許文献１に記載の技術は、確かに、特定の時間帯での消費電力を抑えることができる。しかしながら、内線電話機の利用者は、常々、消費電力をより小さくしてもらいたい、という要望を持っている。
【０００７】
そこで、本発明は、このような利用者の要望に応えるべく、電話機の消費電力をより抑えることができる電話システムを提供することを目的とする。
【課題を解決するための手段】
【０００８】
前記目的を達成するための電話システムに係る発明は、
操作手段及び表示手段を有する１以上の電話機と、交換機とを備えている電話システムにおいて、
前記交換機は、
表示指示メッセージを生成して、該表示指示メッセージを前記１以上の電話機に送る表示指示メッセージ生成手段を有し、
前記電話機は、
前記交換機からの前記表示指示メッセージに含まれる表示指示を記憶する表示指示記憶手段と、
前記表示手段に関する省電力モードと活性モードと間でのモード切替を行って、該表示手段を制御する表示制御手段と、
を備え、
前記表示制御手段は、前記表示手段が前記省電力モードである場合に、前記交換機からの着信メッセージの受け付け及び前記操作手段による操作の受け付けで、前記表示手段を前記活性モードに切替え、該表示手段に表示すべき表示指示が前記表示指示記憶手段に記憶されていれば、該表示手段に該表示指に基づいた表示を実行させる、
ことを特徴とする。
【０００９】
ここで、前記表示制御手段は、前記表示手段が前記活性モードである場合に、前記交換機から着信メッセージ又は前記操作手段による操作を所定時間受け付けなければ、該表示手段を前記省電力モードに切替え、該表示手段を非表示状態にする、ことが好ましい。
【００１０】
また、前記電話機は、
前記表示手段に関して、表示を優先させる表示優先状態か否かを記憶する表示優先状態記憶手段を備え、前記表示制御手段は、前記表示優先状態記憶手段に前記表示手段が表示優先状態である旨が記憶されている場合には、前記表示手段が前記省電力モードのときに、前記交換機からの着信メッセージの受信及び前記操作手段による操作の受け付けがなくても、前記表示指示メッセージの受け付けで前記活性モードに切替える、ものであってもよい。
【発明の効果】
【００１１】
本発明では、交換機からの着信メッセージの受け付け及び操作手段による操作の受け付けで、表示手段の省電力モードと活性モードとの切替が行われるので、電話機の消費電力を抑えることができる。しかも、省電力モード中に交換機から表示指示メッセージを受け付けた場合には、このメッセージ中の表示指示を記憶しておき、活性モードになった時点で、表示手段に表示指示に基づく表示を行わせているので、利用者に対する不都合を最小限に抑えることができる。
【発明を実施するための最良の形態】
【００１２】
以下、本発明に係る内線電話システムの一実施形態について、図面を参照して詳細に説明する。
【００１３】
本実施形態の内線電話システムは、図１に示すように、複数のＩＰ電話機１００と、交換機２００と、を備えている。
【００１４】
各ＩＰ電話機１００は、いずれも、多機能電話機で、各種演算を行うＣＰＵ１１０と、ＣＰＵ１１０が実行するプログラム１２１等が記憶されているＲＯＭ１２０と、各種データ等が記憶されるＲＡＭ１３０と、他のＩＰ電話機１００や交換機２００と通信するための通信インタフェース１４０と、スピーカーやホーンが内蔵されているハンドセット１５０と、このハンドセット１５０の駆動回路１５１と、液晶ディスプレイ（以下、ＬＣＤとする）１６０と、このＬＣＤ１６０の駆動回路１６１と、各種状態を示すための複数の発光ダイオード（以下、ＬＥＤとする）１６５と、各ＬＥＤ１６５の駆動回路１６６と、テンキー等の各種操作ボタン１７０と、各種操作ボタン１７０の駆動回路１７１と、を備えている。
【００１５】
ＣＰＵ１１０は、機能的に、通信制御処理を実行する通信制御部１１１と、ハンドセット１５０から入力された音声信号等を処理する音声制御部１１２と、ＬＣＤ１６０やＬＥＤ１６５の表示装置による表示を制御する表示制御部１１３と、を有している。これらの各機能部１１１〜１１３は、いずれも、ＲＯＭ１２０に記憶されているプログラム１２１をＣＰＵ１１０が実行することで機能する。なお、ここでは、一つのプロセッサで、以上の各機能部１１１〜１１３の全てを実現しているが、以上の各機能部１１１〜１１３を複数のプロセッサで実現するようにしてもよい。例えば、通信制御部１１１と表示制御部１１３とを一つのプロセッサで実現し、音声制御部１１２を他の一つのプロセッサで実現してもよい。
【００１６】
表示制御部１１３は、各表示装置１６０，１６５の省電力モードと活性モードとの間でのモード切替と、各表示装置１６０，１６５に対する表示内容の制御とを行う。
【００１７】
ここで、本実施形態における省電力モードとは、各表示装置１６０，１６５を非表示状態することである。具体的には、ＬＣＤ１６０の場合には、バックライトを消灯させて、交換機２００からＬＣＤ１６０に対する表示指示メッセージがきても、利用者に液晶パネルによる表示内容が見えない状態にしておくことである。また、ＬＥＤ１６５の場合には、交換機２００からＬＥＤ１６５に対する「点灯」の表示指示メッセージがきても、このＬＥＤ１６５を点灯させないで消灯状態にしておくことである。
【００１８】
ＲＡＭ１３０には、交換機２００及びＩＰ電話機１００自身の通信アドレス等が記憶されている構成情報テーブル１３１と、交換機２００から送られてきた表示指示メッセージの表示指示内容が記憶される表示指示テーブル１３２と、表示を優先させる表示優先状態か否かを記憶する表示優先状態テーブル１３３と、が設けられている。
【００１９】
構成情報テーブル１３１には、交換機２００のＩＰアドレスやＭＡＣアドレスと、ＩＰ電話機２００自身のＩＰアドレス、ＭＡＣアドレス及び電話番号と、自身が属しているグループの識別子と、が記憶されている。ここで、グループとは、あるＩＰ電話機に着信があった場合に、このＩＰ電話機を含めて、予め定められた代理応答可能なＩＰ電話機の集合のことである。ここで、以下では、電話番号「101」及び「102」のＩＰ電話機１００がグループ１に属し、電話番号「201」及び「202」のＩＰ電話機１００がグループ２に属し、電話番号「305」のＩＰ電話機１００はいずれのグループにも属していないとする。
【００２０】
表示指示テーブル１３２は、図２に示すように、ＬＥＤ用表示指示テーブル１３２ａとＬＣＤ用表示指示テーブル１３２ｂとがある。ＬＥＤ用表示指示テーブル１３２ａは、各ＬＥＤ１６５のＩＤ毎に、指示内容である点灯と示す「点灯」と指示内容である消灯「−」とのうちのいずれか一方が記憶される指示内容領域を有する。また、ＬＣＤ用表示指示テーブル１３２ｂも、ＬＣＤ１６０に表示すべき指示内容が記憶される指示内容領域を有している。すなわち、表示指示テーブル１３２は、各表示装置１６０，１６５毎の指示内容領域を有している。
【００２１】
表示優先状態テーブル１３３は、各ＬＥＤ１６５のＩＤ毎に、表示優先状態を示す「○」と表示非優先状態を示す「−」とのいずれか一方が記憶される状態領域を有する。
【００２２】
交換機２００は、図１に示すように、各種演算を行うＣＰＵ２１０と、ＣＰＵ２１０が実行するプログラム２２１等が記憶されているＲＯＭ２２０と、各種データ等が記憶されるＲＡＭ２３０と、公衆網等と接続されている網側インタフェース回路２４０と、各ＩＰ電話機１００と接続されている電話機側インタフェース回路２５０と、を備えている。
【００２３】
ＣＰＵ２１０は、機能的に、網側インタフェース回路２４０及び電話機側インタフェース回路２５０等を制御する通信制御部２１１と、各ＩＰ電話機１００に対する表示指示メッセージを生成するメッセージ生成部２１２と、を有している。こららの各機能部２１１，２１２は、いずれも、ＲＯＭ２２０に記憶されているプログラム２２１をＣＰＵ２１０が実行することで機能する。
【００２４】
ＲＡＭ２３０には、交換機２００の管理下にある全ＩＰ電話機１００の通信アドレス等が記憶されている構成情報テーブル２３１が設けられている。この構成情報テーブル２３１には、交換機２００自身のＩＰアドレスやＭＡＣアドレスと、各ＩＰ電話機１００のＩＰアドレス、ＭＡＣアドレス、電話番号、属しているグループの識別子と、が記憶されている。
【００２５】
次に、本実施形態におけるＩＰ電話機１００の表示制御部１１３の動作について、図４に示すフローチャートに従って説明する。
【００２６】
ここで、表示制御部１１３は、各表示装置１６０，１６５を省電力モードに設定しているとする（Ｓ１）。この省電力モードにおいて、前述したように、ＬＣＤ１６０に関して、表示制御部１１３は、バックライトを消灯させており、交換機２００からＬＣＤ１６０に対する表示指示メッセージがきても、利用者に液晶パネルによる表示内容が見えない状態にしている。また、ＬＥＤ１６５に関して、表示制御部１１３は、交換機２００からこのＬＥＤ１６５に対する「点灯」の表示指示メッセージがきても、このＬＥＤ１６５を点灯させないで消灯状態にしている。
【００２７】
この省電力モードで、表示制御部１１３は、ハンドセット１５０及び各種操作ボタン１７０を含む操作装置の操作があるか、又は交換機２００からの着信メッセージを受け付けると（Ｓ２）、活性モードに移行する（Ｓ５）。また、この省電力モードで、表示制御部１１３は、交換機２００から表示指示メッセージを受け付けると（Ｓ２）、この表示指示メッセージが示す表示指示を表示指示テーブル１３２に格納する（Ｓ３）。この際、表示制御部１１３は、表示指示メッセージに含まれている表示装置識別子に従って、表示指示テーブル１３２（図２）中の対応する表示装置の表示指示領域に、表示指示メッセージに含まれている表示指示を格納する。
【００２８】
表示制御部１１３は、表示指示を表示指示テーブル１３２に格納すると（Ｓ３）、表示優先状態テーブル１３３（図３）を参照して、表示指示メッセージに含まれている識別子が示す表示装置が表示優先状態であるか否かを判断する（Ｓ４）。なお、この優先状態テーブル１３３の状態領域には、予め、利用者により各種操作ボタン１７０を操作されることにより、表示優先状態が格納される。表示制御部１１３は、表示指示メッセージに含まれている識別子が示す表示装置が表示優先状態ではない、つまり表示非優先状態であると判断すると、ステップ２に戻る。また、表示制御部１１３は、表示指示メッセージに含まれている識別子が示す表示装置が表示優先状態であると判断すると、前述のように、操作装置１５０，１７０の操作がなくても、又は交換機２００からの着信メッセージを受け付けなくても、表示装置１６０，１６５を活性モード（Ｓ６）に移行する。
【００２９】
表示制御部１１３は、この活性モードでは、表示指示テーブル（図２）を参照して、いずれかの表示装置識別子に対応する表示指示領域に表示内容が格納されていれば、この識別子が示す表示装置に、表示内容に基づく表示を行わせる（Ｓ６）。具体的には、表示装置識別子がＬＥＤ１６５を示し、その表示指示が「点灯」を示している場合には、このＬＥＤ１６５を点灯させる。また、表示装置識別子がＬＣＤ１６０を示し、その表示指示が所定の文字列を示している場合には、このＬＣＤ１６０のバックライトを点灯させると共に、このＬＣＤ１６０の液晶パネルを駆動させて、このＬＣＤ１６０に文字列を表示させる。なお、ここでは、活性モードになった時点で、ＬＣＤ１６０の液晶パネルを駆動させているが、活性モードであろうが、省電力モードであろうが、ＬＣＤ１６０に対する表示指示メッセージを受け取った時点で、このＬＣＤ１６０の液晶パネルを駆動させてもよい。但し、省電力モードのときに、ＬＣＤ１６０に対する表示指示メッセージを受け取った場合には、前述したように、このＬＣＤ１６０のバックライトが消灯状態であるため、液晶パネルを駆動させても、利用者は、ＬＣＤ１６０による表示内容を見ることはできない。
【００３０】
次に、表示制御部１１３は、活性モードに移行してから、所定時間以内に、操作装置１５０，１７０の操作があったか、又は交換機２００からの着信メッセージを受け付けたかを判断する（Ｓ７）。所定時間以内に操作装置１５０，１７０の操作がなく、且つ交換機２００からの着信メッセージを受け付けていない場合には、優先表示状態の表示装置が表示中であるか否かを判断する（Ｓ８ａ）。優先表示状態の表示装置が表示中でなければ、表示制御部１１３は、さらに、活性モードに移行してから、所定時間以内に、優先表示状態の表示装置に対する表示指示メッセージを受け付けたかを判断する（Ｓ８ｂ）。表示制御部１１３は、所定時間以内に、優先表示状態の表示装置に対する表示指示メッセージを受け付けていない場合には、省電力モード（Ｓ１）に移行する。
【００３１】
所定時間以内に、優先表示状態の表示装置に対する表示指示メッセージを受け付けた場合には、この表示指示メッセージに含まれている表示装置識別子に従って、表示指示テーブル１３２（図２）中の対応する表示装置の表示指示領域に、表示指示メッセージに含まれている表示指示を格納する（Ｓ９）。そして、前述のステップ６に進む。
【００３２】
また、表示制御部１１３は、ステップ７で、所定時間以内に、操作装置１５０，１７０の操作があった、又は交換機２００からの着信メッセージを受け付けたと判断した場合、さらに、ステップ８ａで、優先表示状態の表示装置が表示中であると判断した場合には、交換機２００から表示指示メッセージを受け付たか否かを判断する（Ｓ８）。
【００３３】
表示制御装置１１３は、表示指示メッセージを受け付けていなければ、ステップ７に戻り、表示指示メッセージを受け付けていれば、表示指示メッセージに含まれている表示装置識別子に従って、表示指示テーブル１３２（図２）中の対応する表示装置の表示指示領域に、表示指示メッセージに含まれている表示指示を格納する（Ｓ９）。そして、前述のステップ６に進む。なお、ステップ７において、所定時間以内に、操作装置１５０，１７０の操作があったか、又は交換機２００からの着信メッセージを受け付けたと判断し、再び、ステップ８を経て、又は、ステップ８，９，６を経て、ステップ７に戻った場合、表示制御部１１３は、所定時間の計測開示タイミングを、活性モード中に最後に、操作又は着信メッセージを受け付けた時点とする。また、ステップ８ｂにおいて、所定時間以内に、優先表示状態の表示装置に対する表示指示メッセージを受け付けたと判断し、再び、ステップ９，６，７，８ａを経て、ステップ８ｂに戻った場合、所定時間の計測開示タイミングを、活性モード中に最後に、操作、着信メッセージ又は優先表示状態の表示装置に対する表示指示メッセージを受け付けた時点とする。
【００３４】
以上のように、本実施形態では、基本的には、操作装置１５０，１７０の操作、又は着信メッセージの受付により、省電力モードと活性モードとの切替が行われる。したがって、本実施形態では、表示が確実に必要なときにのみ活性モードになって表示を行うので、内線電話システムの消費電力を抑えることができる。
【００３５】
また、本実施形態では、利用者が、複数の表示装置１６５のうちのいずれかの表示装置に関して、表示を優先させたい場合には、この表示装置に関して表示優先状態に設定することで、優先表示状態の表示装置に対する表示指示メッセージの受付でも、省電力モードと活性モードとのモード切替が行われるので、この優先表示状態の表示装置に関しては、モードに関わらず、表示指示メッセージを受けた時点で、表示指示に応じた表示を実行させることができる。
【００３６】
次に、本実施形態における内線電話システムの動作について、図５〜図７に示すシーケンス図に従って説明する。なお、図５〜図７のシーケンス図では、各ＩＰ電話機１００の時間軸に関して、活性モードになっている時間帯を実線で示し、省電力モードになっている時間帯を破線で示している。
【００３７】
まず、図５に示すシーケンス図に従って、内線番号「305」のＩＰ電話機１００から内線番号「101」のＩＰ電話機１００へ発信した場合の動作について説明する。
【００３８】
内線番号「305」のＩＰ電話機１００がオフフックされると（Ｓ３０、図４中のＳ２）、この内線番号「305」のＩＰ電話機１００の表示制御部１１３は、各表示装置を省電力モードから活性モードに移行する（図４中のＳ５）。この際、ＬＣＤ用表示指示テーブル１３２ｂ（図２）に、日付等が格納されていれば、表示制御部１１３は、ＬＣＤ１６０に日付等を表示させる。さらに、通信制御部１１１は、オフフックメッセージを交換機２００へ送信する（Ｓ３１）。
【００３９】
さらに、内線番号「305」のＩＰ電話機１００のテンキーを含む操作ボタン１７０が操作され、着信先の内線番号「101」が入力されると（Ｓ３２）、通信制御部１１１が電話番号メッセージを交換機２００へ送信する（Ｓ３３）。なお、内線番号「305」のＩＰ電話機１００の表示装置は活性モードであるため、ＬＣＤ１６０には、前述した日付等と共に、入力した内線番号「101」が表示される。
【００４０】
交換機２００の通信制御部２１１は、内線番号「305」のＩＰ電話機１００からオフフックメッセージ及び電話番号メッセージを受信すると、発信元で内線番号「305」のＩＰ電話機１００へリングバックトーン（ＲＢＴ）の鳴動指示メッセージを送信する（Ｓ２０）。さらに、交換機２００の通信制御部２１１は、着信先で内線番号「101」のＩＰ電話機１００へ着信メッセージを送信する（Ｓ２２）。なお、この着信メッセージには、発信元の電話番号情報も含まれている。
【００４１】
着信先で内線番号「101」のＩＰ電話機１００の通信制御部１１１がこの着信メッセージを受信すると、スピーカを駆動し着信音を発生させる。また、表示制御部１１３が通信制御部１１１からこの着信メッセージを受け取ると（図４中のＳ２）、各表示装置を省電力モードから活性モードに移行する（図４中のＳ５）。この際、ＬＣＤ用表示指示テーブル１３２ｂ（図２）に、日付等が格納されていれば、表示制御部１１３は、ＬＣＤ１６０に、発信元の内線番号「305」と共に日付等を表示させる。
【００４２】
内線番号「101」のＩＰ電話機１００がオフフックされると（Ｓ１０ａ）、通信制御部１１１は、オフフックメッセージを交換機２００へ送信する（Ｓ１１ａ）。
【００４３】
交換機２００の通信制御部２１１は、着信先で内線番号「101」のＩＰ電話機１００からオフフックメッセージを受信すると、発信元及び着信先のＩＰ電話機１００に対して、通話接続指示メッセージを送信する（Ｓ２３）。これにより、発信元及び着信先のＩＰ電話機１００は、相互間での通話が可能になる（Ｓ１２ａ）。
【００４４】
発信元で内線番号「305」のＩＰ電話機１００がオンフックされると（Ｓ３４）、この内線番号「305」のＩＰ電話機１００の通信制御部１１１から交換機２００へオンフックメッセージが送信される（Ｓ３５）。交換機２００の通信制御部２１１は、このオンフックメッセージを受信すると、発信元及び着信先のＩＰ電話機１００に対して、通話接続段指示メッセージを送信する（Ｓ２４）。
【００４５】
着信先で内線番号「101」のＩＰ電話機１００の利用者は、発信元がオンフックされたことで、内線番号「101」のＩＰ電話機１００をオンフックする（Ｓ１３ａ）。内線番号「101」のＩＰ電話機１００がオンフックされると、通信制御部１１１は、交換機２００へオンフックメッセージを送信する（Ｓ１４ａ）。
【００４６】
発信元及び着信先のＩＰ電話機１００は、オンフックされ、つまりハンドセット１５０が操作されなくなってから、所定時間経過すると（図４中のＳ４）、表示制御部１１１は、表示装置を活性モードから省電力モードに移行する（Ｓ３６，Ｓ１５ａ、図４中のＳ１）。
【００４７】
次に、図６に示すシーケンス図に従って、内線番号「305」のＩＰ電話機１００からグループ１のＩＰ電話機１００へグループ発信した場合の動作について説明する。なお、図６及び後述の図７に示す動作は、内線番号「101」のＩＰ電話機１００の表示優先状態テーブル１３３（図３）は、ＬＥＤ２が表示優先状態であり、他のＬＥＤ１，３，４は表示非優先状態であり、他のＩＰ電話機１００の表示優先状態テーブル１３３は、全ＬＥＤが表示非優先状態である場合を示している。
【００４８】
内線番号「305」のＩＰ電話機１００がオフフックされると（Ｓ３０、図４中のＳ２）、前述の場合と同様に、各表示装置が省電力モードから活性モードに移行する（図４中のＳ５）。そして、通信制御部１１１は、オフフックメッセージを交換機２００へ送信する（Ｓ３１）。
【００４９】
さらに、内線番号「305」のＩＰ電話機１００のテンキーを含む操作ボタン１７０が操作され、着信先としてグループ１が指定されると（Ｓ３２ｘ）、通信制御部１１１が電話番号メッセージを交換機２００へ送信する（Ｓ３３ｘ）。
【００５０】
交換機２００の通信制御部２１１は、内線番号「305」のＩＰ電話機１００からオフフックメッセージ及び電話番号メッセージを受信すると、発信元で内線番号「305」のＩＰ電話機１００へリングバックトーン（ＲＢＴ）の鳴動指示メッセージを送信する（Ｓ２０）。さらに、交換機２００のメッセージ生成部２１１がグループ１の着信を知らせるために、ＬＥＤ１の点灯指示メッセージを作成し、これを通信制御部２１１が各ＩＰ電話機１００に送信する（Ｓ２１）。
【００５１】
このＬＥＤ１の点灯指示メッセージを受けた、各ＩＰ電話機１００の表示制御部１１３は、このＬＥＤ１が表示非優先状態であることから、表示装置を省電力モードから活性モードに移行せずに、つまり、ＬＥＤ１を点灯させずに、この点灯指示メッセージに含まれる指示をＬＥＤ用表示指示テーブル１３２ａに格納する（図４中のＳ２，Ｓ３，Ｓ４）。
【００５２】
交換機２００の通信制御部２１１は、さらに、グループ１の内線番号「101」「102」のＩＰ電話機１００へ着信メッセージを送信する（Ｓ２２ｘ）。
【００５３】
着信先で内線番号「101」「102」のＩＰ電話機１００の通信制御部１１１がこの着信メッセージを受信すると、スピーカを駆動し着信音を発生させる。また、表示制御部１１３が通信制御部１１１からこの着信メッセージを受け取ると、各表示装置を省電力モードから活性モードに移行する。この際、ＬＣＤ用表示指示テーブル１３２ｂ（図２）に、日付等が格納されていれば、表示制御部１１３は、ＬＣＤ１６０に、発信元の内線番号「305」と共に日付等を表示させる。
【００５４】
グループ１のＩＰ電話機１００のうち、仮に、内線番号「101」のＩＰ電話機１００がオフフックされると（Ｓ１０ａ）、通信制御部１１１は、オフフックメッセージを交換機２００へ送信する（Ｓ１１ａ）。
【００５５】
交換機２００の通信制御部２１１は、着信先で内線番号「101」のＩＰ電話機１００からオフフックメッセージを受信すると、発信元及び着信先のＩＰ電話機１００に対して、通話接続指示メッセージを送信する（Ｓ２３）。これにより、発信元及び着信先のＩＰ電話機１００は、相互間での通話が可能になる（Ｓ１２ａ）。
【００５６】
発信元で内線番号「305」のＩＰ電話機１００がオンフックされると（Ｓ３４）、この内線番号「305」のＩＰ電話機１００の通信制御部１１１から交換機２００へオンフックメッセージが送信される（Ｓ３５）。交換機２００の通信制御部２１１は、このオンフックメッセージを受信すると、発信元及び着信先のＩＰ電話機１００に対して、通話接続段指示メッセージを送信する（Ｓ２４）。
【００５７】
着信先で内線番号「101」のＩＰ電話機１００の利用者は、発信元がオンフックされたことで、内線番号「101」のＩＰ電話機１００をオンフックする（Ｓ１３ａ）。内線番号「101」のＩＰ電話機１００がオンフックされると、通信制御部１１１は、交換機２００へオンフックメッセージを送信する（Ｓ１４ａ）。
【００５８】
交換機２００の通信制御部２１１がこのオンフックメッセージを受信すると、メッセージ生成部２１２が、ＬＥＤ１の消灯指示メッセージを生成し、これを通信制御部２１１が各ＩＰ電話機１００へ送信する（Ｓ２５）。活性モードになっている内線番号「101」のＩＰ電話機１００の表示制御部１１１は、この消灯指示メッセージを受けて、この点灯指示メッセージに含まれる指示をＬＥＤ用表示指示テーブル１３２ａに格納した後（図４のＳ９）、ＬＥＤ１を消灯させる（図４のＳ６）。また、残りのＩＰ電話機１００は、この消灯指示メッセージを受けて、この点灯指示メッセージに含まれる指示をＬＥＤ用表示指示テーブル１３２ａに格納する（図４のＳ３）だけに留まる。
【００５９】
発信元及び着信先のＩＰ電話機１００は、オンフックされ、つまりハンドセット１５０が操作されなくなってから、所定時間経過すると（図４中のＳ７）、表示制御部１１１は、表示装置を活性モードから省電力モードに移行する（Ｓ３６，Ｓ１５ａ、図４中のＳ１）。
【００６０】
また、着信メッセージを受けたものの、実際に通話が行われていない内線番号「102」のＩＰ電話機１００の表示制御部１１３は、着信メッセージを受けて、活性モードに移行してから、所定時間経過すると（図４中のＳ７）、表示装置を省電力モードに移行する（Ｓ１５ｂ、図４中のＳ１）。
【００６１】
次に、図７に示すシーケンス図に従って、内線番号「305」のＩＰ電話機１００からグループ２のＩＰ電話機１００へグループ発信した場合の動作について説明する。
【００６２】
内線番号「305」のＩＰ電話機１００がオフフックされると（Ｓ３０、図４中のＳ２）、前述の場合と同様に、各表示装置が省電力モードから活性モードに移行する（図４中のＳ５）。そして、通信制御部１１１は、オフフックメッセージを交換機２００へ送信する（Ｓ３１）。
【００６３】
さらに、内線番号「305」のＩＰ電話機１００のテンキーを含む操作ボタン１７０が操作され、着信先としてグループ２が指定されると（Ｓ３２ｙ）、通信制御部１１１が電話番号メッセージを交換機２００へ送信する（Ｓ３３ｙ）。
【００６４】
交換機２００の通信制御部２１１は、内線番号「305」のＩＰ電話機１００からオフフックメッセージ及び電話番号メッセージを受信すると、発信元で内線番号「305」のＩＰ電話機１００へリングバックトーン（ＲＢＴ）の鳴動指示メッセージを送信する（Ｓ２０）。さらに、交換機２００のメッセージ生成部２１１がグループ２の着信を知らせるために、ＬＥＤ２の点灯指示メッセージを作成し、これを通信制御部２１１が各ＩＰ電話機１００に送信する（Ｓ２１ｙ）。
【００６５】
このＬＥＤ２の点灯指示メッセージを受けた各ＩＰ電話機１００のうち、内線番号「101」のＩＰ電話機の表示制御部１１３は、この点灯指示メッセージに含まれる指示をＬＥＤ用表示指示テーブル１３２ａに格納した後（図４のＳ３）、このＬＥＤ２が表示優先状態であることから（図４のＳ４）、表示装置を省電力モードから活性モードに移行して（図４のＳ５）、ＬＥＤ２を点灯させる。さらに、表示制御部１１３は、ＬＣＤ用表示指示テーブル１３２ｂ（図２）に、日付等が格納されていれば、表示制御部１１３は、ＬＣＤ１６０に日付等を表示させる。
【００６６】
一方、このＬＥＤ２の点灯指示メッセージを受けた各ＩＰ電話機１００のうち、残りのＩＰ電話機１００の表示制御部１１３は、このＬＥＤ２が表示非優先状態であることから、表示装置を省電力モードから活性モードに移行せずに、つまり、ＬＥＤ２を点灯させずに、この点灯指示メッセージに含まれる指示をＬＥＤ用表示指示テーブル１３２ａに格納する（図４中のＳ２，Ｓ３，Ｓ４）。
【００６７】
交換機２００の通信制御部２１１は、さらに、グループ２の内線番号「201」のＩＰ電話機１００へ着信メッセージを送信する（Ｓ２２ｙ）。
【００６８】
着信先で内線番号「201」のＩＰ電話機１００の通信制御部１１１がこの着信メッセージを受信すると、スピーカを駆動し着信音を発生させる。また、表示制御部１１３が通信制御部１１１からこの着信メッセージを受け取ると、各表示装置を省電力モードから活性モードに移行する。この際、ＬＥＤ用表示指示テーブル１３２ａ（図２）のＬＥＤ２の表示指示領域には、「点灯」が記憶されているので、表示制御部１１３は、ＬＥＤ２を点灯させる。また、ＬＣＤ用表示指示テーブル１３２ｂに、日付等が格納されていれば、表示制御部１１３は、ＬＣＤ１６０に、発信元の内線番号「305」と共に日付等を表示させる。
【００６９】
グループ２の内線番号「201」のＩＰ電話機１００がオフフックされると（Ｓ１０ｃ）、通信制御部１１１は、オフフックメッセージを交換機２００へ送信する（Ｓ１１ｃ）。
【００７０】
交換機２００の通信制御部２１１は、着信先で内線番号「201」のＩＰ電話機１００からオフフックメッセージを受信すると、発信元及び着信先のＩＰ電話機１００に対して、通話接続指示メッセージを送信する（Ｓ２３ｙ）。これにより、発信元及び着信先のＩＰ電話機１００は、相互間での通話が可能になる（Ｓ１２ｃ）。
【００７１】
発信元で内線番号「305」のＩＰ電話機１００がオンフックされると（Ｓ３４）、この内線番号「305」のＩＰ電話機１００の通信制御部１１１から交換機２００へオンフックメッセージが送信される（Ｓ３５）。交換機２００の通信制御部２１１は、このオンフックメッセージを受信すると、発信元及び着信先のＩＰ電話機１００に対して、通話接続断指示メッセージを送信する（Ｓ２４ｙ）。
【００７２】
着信先で内線番号「201」のＩＰ電話機１００の利用者は、発信元がオンフックされたことで、内線番号「201」のＩＰ電話機１００をオンフックする（Ｓ１３ｃ）。内線番号「201」のＩＰ電話機１００がオンフックされると、通信制御部１１１は、交換機２００へオンフックメッセージを送信する（Ｓ１４ｃ）。
【００７３】
交換機２００の通信制御部２１１がこのオンフックメッセージを受信すると、メッセージ生成部２１２が、ＬＥＤ２の消灯指示メッセージを生成し、これを通信制御部２１１が各ＩＰ電話機１００へ送信する（Ｓ２５ｙ）。活性モードになっている内線番号「101」「201」のＩＰ電話機１００の表示制御部１１１は、この消灯指示メッセージを受けて、この点灯指示メッセージに含まれる指示をＬＥＤ用表示指示テーブル１３２ａに格納した後（図４のＳ９）、ＬＥＤ２を消灯させる（図４のＳ６）。また、残りの内線番号「102」のＩＰ電話機１００は、この消灯指示メッセージを受けて、この点灯指示メッセージに含まれる指示をＬＥＤ用表示指示テーブル１３２ａに格納する（図４のＳ３）だけに留まる。
【００７４】
発信元及び着信先のＩＰ電話機１００は、オンフックされ、つまりハンドセット１５０が操作されなくなってから、所定時間経過すると（図４中のＳ７）、表示制御部１１１は、表示装置を活性モードから省電力モードに移行する（Ｓ３６，Ｓ１５ｃ、図４中のＳ１）。
【００７５】
また、ＬＥＤ２の点灯指示メッセージを受けて、活性モードになった内線番号「101」のＩＰ電話機１００の表示制御部１１３は、ＬＥＤ２の点灯中は活性モードを維持し（図４中のＳ８ａ）、このＬＥＤ２の消灯指示メッセージを受けてから所定時間経過すると（Ｓ１５ａｙ、図４中のＳ８ｂ）、表示装置を省電力モードに移行する。
【図面の簡単な説明】
【００７６】
【図１】本発明に係る一実施形態としての内線電話システムの構成図であある。
【図２】本発明に係る一実施形態としての表示指示テーブルのデータ構成を示す説明図である。
【図３】本発明に係る一実施形態としての表示優先状態テーブルのデータ構成を示す説明図である。
【図４】本発明に係る一実施形態としての表示制御部の動作を示すフローチャートである。
【図５】本発明に係る一実施形態としての内線電話システムの動作を示すシーケンス図（その１）である。
【図６】本発明に係る一実施形態としての内線電話システムの動作を示すシーケンス図（その１）である。
【図７】本発明に係る一実施形態としての内線電話システムの動作を示すシーケンス図（その１）である。
【符号の説明】
【００７７】
１００：ＩＰ電話機、１１０，２１０：ＣＰＵ、１１１，２１１：通信制御部、１１２：音声制御部、１１３：表示制御部、１２０，２２０：ＲＯＭ、１２１，２２１：プログラム、１３０，２３０：ＲＡＭ、１３１，２３１：構成情報テーブル、１３２：表示指示テーブル、１３３：表示優先状態テーブル、１４０：通信インタフェース、１５０：ハンドセット、１６０：ＬＣＤ、１６５：ＬＥＤ、１７０：操作ボタン、２００：交換機、２１１：メッセージ生成部、２４０：網側インタフェース回路、２５０：電話機側インタフェース回路
【図１】
2010166277.tif 000003
【図２】
2010166277.tif 000004
【図３】
2010166277.tif 000005
【図４】
2010166277.tif 000006
【図５】
2010166277.tif 000007
【図６】
2010166277.tif 000008
【図７】
2010166277.tif 000009